(57)【要約】【課題】喫煙者と非喫煙者との効果的な分煙を実現する。【解決手段】喫煙判定部２２９は、熱検知情報取得部２３０による熱源の検知結果、および、顔画像取得部２２１により取得された前記遊技台に着座している遊技者の顔画像に基づいて、前記遊技者が喫煙中であるか否かを判定する。駆動制御部２５１は、喫煙判定部２２９の判定結果に基づいて、分煙機４２の駆動部２５２を遊技者の喫煙による煙を分煙するように駆動するように制御する。本発明は、分煙システムに適用することができる。【選択図】図１２
2008036352.tif 000002
【特許請求の範囲】
【請求項１】
所定の範囲内に高温の熱源の有無を検知する熱検知手段と、
遊技台に着座した遊技者の顔画像を取得する顔画像取得手段と、
前記遊技台毎に喫煙による煙を分煙する分煙手段と、
前記熱検知手段による熱源の検知結果、および、前記顔画像取得手段により取得された前記遊技台に着座している遊技者の顔画像に基づいて、前記遊技者が喫煙中であるか否かを判定する判定手段と、
前記判定手段の判定結果に基づいて、前記遊技者の喫煙による煙を分煙するように前記分煙手段を制御する制御手段と
を含む分煙装置。
【請求項２】
所定時間を計測する所定時間計測手段を含み、
前記制御手段は、前記遊技台毎に喫煙による煙を分煙するように前記分煙手段を制御する場合、前記所定時間計測手段による前記所定時間の計測を開始させ、前記所定時間が計測されたと判定されたとき、分煙を停止させるように前記分煙手段を制御する
請求項１に記載の分煙装置。
【請求項３】
前記判定手段は、前記熱検知手段により高温の熱源が検出され、かつ、前記顔画像取得手段により顔画像が検出された場合、前記遊技者が喫煙中であると判定する
請求項１に記載の分煙装置。
【請求項４】
前記熱検知手段により検知された所定の範囲内における高温の熱源の位置を測定する熱源位置測定手段と、
前記顔画像取得手段により取得された顔画像より喫煙に関わる特徴量を抽出する特徴量抽出手段と、
前記特徴量抽出手段により抽出された前記喫煙に関わる特徴量が抽出された前記顔画像上の特徴量抽出位置を測定する特徴量抽出位置測定手段と
を含み、
前記判定手段は、前記熱検知手段により高温の熱源が検出され、かつ、前記顔画像取得手段により顔画像が検出された場合であって、前記高温の熱源の位置と、前記特徴量抽出位置とが一致しているとき、前記遊技者が喫煙中であると判定する
請求項３に記載の分煙装置。
【請求項５】
画像を撮像する撮像手段と、
前記撮像手段により撮像された画像より、前記顔画像を抽出する顔画像抽出手段とを含み、
前記顔画像取得手段は、前記顔画像抽出手段により抽出した顔画像を、前記遊技台に着座した遊技者の顔画像として取得する
請求項１に記載の監視装置。
【請求項６】
所定の範囲内に高温の熱源の有無を検知する熱検知ステップと、
遊技台に着座した遊技者の顔画像を取得する顔画像取得ステップと、
前記遊技台毎に喫煙による煙を分煙する分煙ステップと、
前記熱検知ステップの処理による熱源の検知結果、および、前記顔画像取得ステップの処理により取得された前記遊技台に着座している遊技者の顔画像に基づいて、前記遊技者が喫煙中であるか否かを判定する判定ステップと、
前記判定ステップの処理での判定結果に基づいて、前記遊技者の喫煙による煙を分煙するように前記分煙手段を制御する制御ステップと
を含む分煙制御方法。
【請求項７】
所定の範囲内に高温の熱源の有無を検知する熱検知ステップと、
遊技台に着座した遊技者の顔画像を取得する顔画像取得ステップと、
前記遊技台毎に喫煙による煙を分煙する分煙ステップと、
前記熱検知ステップの処理による熱源の検知結果、および、前記顔画像取得ステップの処理により取得された前記遊技台に着座している遊技者の顔画像に基づいて、前記遊技者が喫煙中であるか否かを判定する判定ステップと、
前記判定ステップの処理での判定結果に基づいて、前記遊技者の喫煙による煙を分煙するように前記分煙手段を制御する制御ステップと
を含む処理をコンピュータに実行させるプログラム。
【発明の詳細な説明】
【技術分野】
【０００１】
本発明は、分煙装置および分煙制御方法、並びにプログラムに関し、特に、遊技店において非喫煙者に対して喫煙により発生する副流煙等の煙の吸引を効率良く低減し、喫煙者と非喫煙者とを効果的に分煙できるようにした分煙装置および分煙制御方法、並びにプログラムに関する。
【背景技術】
【０００２】
昨今、喫煙者と非喫煙者とを分ける、いわゆる分煙が一般的な考え方として浸透しつつある。
【０００３】
これまで、パチンコ店やパチスロ店などに代表される遊技店においては、喫煙者と非喫煙者が隣接して遊技することが多く、上述した分煙がなされていないため、特に、非喫煙者からの苦情があった。
【０００４】
そこで、排煙装置付き室内遊技機などを用いて、非喫煙者へ煙草の副流煙等の煙が流れないようにすることが提案されている。これは、店員や遊技者が排煙装置のスイッチを操作して起動させるものであったり、タバコの煙を検知するセンサにより、煙が検知されると作動するものである（特許文献１参照）。
【０００５】
【特許文献１】特開平７−８０１４７号公報
【発明の開示】
【発明が解決しようとする課題】
【０００６】
しかしながら、以上においては手動もしくは煙センサ等の検知により排煙装置が起動するため、例えば、遊技者または店員が手動で行なう場合、喫煙者以外の人物が排煙装置を起動させる必要があるため、喫煙者の行動を常に監視し、喫煙の開始と同時に排煙装置を動作させなければならず、これが遅れると作動しないままとなり、結局、非喫煙者が喫煙者による喫煙で発生する副流煙等の煙を吸引してしまうことがあった。また、煙センサを用いた場合、煙が検知された後に排煙装置が起動されることになるため、煙センサにより煙が検知される状態になるまでの副流煙等の煙については排煙処理がなされないため、喫煙者近傍の遊技者は副流煙等の煙を吸引してしまうことがあった。
【０００７】
いずれにおいても、これまでの排煙装置を用いた分煙方法では、必ずしも有効な手法とは呼べない現状があった。
【０００８】
本発明はこのような状況に鑑みてなされたものであり、遊技店において非喫煙者に対して喫煙により発生する副流煙等の煙の吸引を効率良く低減し、喫煙者と非喫煙者とを効果的に分煙できるようにするものである。
【課題を解決するための手段】
【０００９】
本発明の一側面の分煙装置は、所定の範囲内に高温の熱源の有無を検知する熱検知手段と、遊技台に着座した遊技者の顔画像を取得する顔画像取得手段と、前記遊技台毎に喫煙による煙を分煙する分煙手段と、前記熱検知手段による熱源の検知結果、および、前記顔画像取得手段により取得された前記遊技台に着座している遊技者の顔画像に基づいて、前記遊技者が喫煙中であるか否かを判定する判定手段と、前記判定手段の判定結果に基づいて、前記遊技者の喫煙による煙を分煙するように前記分煙手段を制御する制御手段とを含む。
【００１０】
所定時間を計測する所定時間計測手段を含ませるようにすることができ、前記制御手段には、前記遊技台毎に喫煙による煙を分煙するように前記分煙手段を制御する場合、前記所定時間計測手段による前記所定時間の計測を開始させ、前記所定時間が計測されたと判定されたとき、分煙を停止させるように前記分煙手段を制御させるようにすることができる。
【００１１】
前記判定手段には、前記熱検知手段により高温の熱源が検出され、かつ、前記顔画像取得手段により顔画像が検出された場合、前記遊技者が喫煙中であると判定させるようにすることができる。
【００１２】
前記熱検知手段により検知された所定の範囲内における高温の熱源の位置を測定する熱源位置測定手段と、前記顔画像取得手段により取得された顔画像より喫煙に関わる特徴量を抽出する特徴量抽出手段と、前記特徴量抽出手段により抽出された前記喫煙に関わる特徴量が抽出された前記顔画像上の特徴量抽出位置を測定する特徴量抽出位置測定手段と
を含ませるようにすることができ、前記判定手段には、前記熱検知手段により高温の熱源が検出され、かつ、前記顔画像取得手段により顔画像が検出された場合であって、前記高温の熱源の位置と、前記特徴量抽出位置とが一致しているとき、前記遊技者が喫煙中であると判定させるようにすることができる。
【００１３】
画像を撮像する撮像手段と、前記撮像手段により撮像された画像より、前記顔画像を抽出する顔画像抽出手段とを含ませるようにすることができ、前記顔画像取得手段には、前記顔画像抽出手段により抽出した顔画像を、前記遊技台に着座した遊技者の顔画像として取得させるようにすることができる。
【００１４】
本発明の一側面の分煙制御方法は、所定の範囲内に高温の熱源の有無を検知する熱検知ステップと、遊技台に着座した遊技者の顔画像を取得する顔画像取得ステップと、前記遊技台毎に喫煙による煙を分煙する分煙ステップと、前記熱検知ステップの処理による熱源の検知結果、および、前記顔画像取得ステップの処理により取得された前記遊技台に着座している遊技者の顔画像に基づいて、前記遊技者が喫煙中であるか否かを判定する判定ステップと、前記判定ステップの処理での判定結果に基づいて、前記遊技者の喫煙による煙を分煙するように前記分煙手段を制御する制御ステップとを含む。
【００１５】
本発明の一側面のプログラムは、所定の範囲内に高温の熱源の有無を検知する熱検知ステップと、遊技台に着座した遊技者の顔画像を取得する顔画像取得ステップと、前記遊技台毎に喫煙による煙を分煙する分煙ステップと、前記熱検知ステップの処理による熱源の検知結果、および、前記顔画像取得ステップの処理により取得された前記遊技台に着座している遊技者の顔画像に基づいて、前記遊技者が喫煙中であるか否かを判定する判定ステップと、前記判定ステップの処理での判定結果に基づいて、前記遊技者の喫煙による煙を分煙するように前記分煙手段を制御する制御ステップとを含む処理をコンピュータに実行させる。
【００１６】
本発明の一側面の分煙装置および分煙制御方法、並びにプログラムにおいては、所定の範囲内に高温の熱源の有無が検知され、遊技台に着座した遊技者の顔画像が取得され、前記遊技台毎に喫煙による煙が分煙され、熱源の検知結果、および、取得された前記遊技台に着座している遊技者の顔画像に基づいて、前記遊技者が喫煙中であるか否かが判定され、判定結果に基づいて、前記遊技者の喫煙による煙を分煙するように制御される。
【００１７】
本発明の分煙装置における、所定の範囲内に高温の熱源の有無を検知する熱検知手段は、例えば、熱検知情報取得部であり、遊技台に着座した遊技者の顔画像を取得する顔画像取得手段は、例えば、顔画像取得部であり、前記遊技台毎に喫煙による煙を分煙する分煙手段は、例えば、駆動部であり、前記熱検知手段による熱源の検知結果、および、前記顔画像取得手段により取得された前記遊技台に着座している遊技者の顔画像に基づいて、前記遊技者が喫煙中であるか否かを判定する判定手段は、例えば、喫煙判定部であり、前記判定手段の判定結果に基づいて、前記遊技者の喫煙による煙を分煙するように前記分煙手段を制御する制御手段は、例えば、駆動制御部である。
【００１８】
すなわち、喫煙判定部は、熱検知情報取得部により取得された高温の熱源の有無の検知結果により、喫煙により発生する熱源が検知されて、かつ、顔画像取得部により取得された遊技台に着座した遊技者の顔画像が検出されることにより着座していることが検知された場合、喫煙判定部が喫煙が開始されたと判定し、判定結果に基づいて、喫煙が開始されたと判定されたとき、分煙機の駆動制御部が、分煙機の動作そのものを実行する駆動装置の動作を開始させる。
【００１９】
結果として、煙草の赤熱部分を検知することで喫煙により煙が発生すると同時に、または、ライタの炎を検知することで、喫煙が開始される直前に分煙機を動作させることができるので、遊技店において非喫煙者に対して喫煙により発生する副流煙等の煙の吸引を効率良く低減し、喫煙者と非喫煙者とを効果的に分煙することが可能となる。
【発明の効果】
【００２０】
本発明によれば、遊技店において非喫煙者に対して喫煙により発生する副流煙等の煙の吸引を効率良く低減し、喫煙者と非喫煙者とを効果的に分煙することが可能となる。
【発明を実施するための最良の形態】
【００２１】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
すなわち、本発明の一側面の分煙装置は、所定の範囲内に高温の熱源の有無を検知する熱検知手段（例えば、図１２の熱検知情報取得部２３０）と、遊技台に着座した遊技者の顔画像を取得する顔画像取得手段（例えば、図１２の顔画像取得部２２１）と、前記遊技台毎に喫煙による煙を分煙する分煙手段（例えば、図１２の駆動部２５２）と、前記熱検知手段による熱源の検知結果、および、前記顔画像取得手段により取得された前記遊技台に着座している遊技者の顔画像に基づいて、前記遊技者が喫煙中であるか否かを判定する判定手段（例えば、図１２の喫煙判定部２２９）と、前記判定手段の判定結果に基づいて、前記遊技者の喫煙による煙を分煙するように前記分煙手段を制御する制御手段（例えば、図１２の駆動制御部２５１）とを含む。
【００２３】
所定時間を計測する所定時間計測手段（例えば、図１２の駆動時間管理部２５３）を含ませるようにすることができ、前記制御手段（例えば、図１２の駆動制御部２５１）には、前記遊技台毎に喫煙による煙を分煙するように前記分煙手段を制御する場合、前記所定時間計測手段による前記所定時間の計測を開始させ、前記所定時間が計測されたと判定されたとき、分煙を停止させるように前記分煙手段を制御させるようにすることができる。
【００２４】
前記判定手段（例えば、図１２の喫煙判定部２２９）には、前記熱検知手段により高温の熱源が検出され、かつ、前記顔画像取得手段により顔画像が検出された場合、前記遊技者が喫煙中であると判定させるようにすることができる。
【００２５】
前記熱検知手段により検知された所定の範囲内における高温の熱源の位置を測定する熱源位置測定手段（例えば、図１２の熱検知ユニット４０）と、前記顔画像取得手段により取得された顔画像より喫煙に関わる特徴量を抽出する特徴量抽出手段（例えば、図１２の特徴量抽出部２２７）と、前記特徴量抽出手段により抽出された前記喫煙に関わる特徴量が抽出された前記顔画像上の特徴量抽出位置を測定する特徴量抽出位置測定手段（例えば、図１２の喫煙範囲算出部２２８）とを含ませるようにすることができ、前記判定手段（例えば、図１２の喫煙判定部２２９）には、前記熱検知手段により高温の熱源が検出され、かつ、前記顔画像取得手段により顔画像が検出された場合であって、前記高温の熱源の位置と、前記特徴量抽出位置とが一致しているとき、前記遊技者が喫煙中であると判定させるようにすることができる。
【００２６】
画像を撮像する撮像手段（例えば、図１０のカメラ３８）と、前記撮像手段により撮像された画像より、前記顔画像を抽出する顔画像抽出手段（例えば、図１０の顔画像抽出部２０２）とを含ませるようにすることができ、前記顔画像取得手段には、前記顔画像抽出手段により抽出した顔画像を、前記遊技台に着座した遊技者の顔画像として取得させるようにすることができる。
【００２７】
本発明の一側面の分煙制御方法及びプログラムは、所定の範囲内に高温の熱源の有無を検知する熱検知ステップ（例えば、図１５のステップＳ１２）と、遊技台に着座した遊技者の顔画像を取得する顔画像取得ステップ（例えば、図１５のステップＳ２１）と、前記遊技台毎に喫煙による煙を分煙する分煙ステップ（例えば、図１５のステップＳ４６）と、前記熱検知ステップの処理による熱源の検知結果、および、前記顔画像取得ステップの処理により取得された前記遊技台に着座している遊技者の顔画像に基づいて、前記遊技者が喫煙中であるか否かを判定する判定ステップ（例えば、図１５のステップＳ２７）と、前記判定ステップの処理での判定結果に基づいて、前記遊技者の喫煙による煙を分煙するように前記分煙手段を制御する制御ステップ（例えば、図１５のステップＳ４６）とを含む。
【００２８】
図１は、本発明に係る遊技店の監視システムの一実施の形態の構成を示す図である。
【００２９】
遊技店１−１乃至１−ｎは、いわゆるパチンコ店、パチスロ店、または、カジノ店である。また、これらの遊技店１−１乃至１−ｎは、系列店舗または生体情報管理センタや第３者遊技店管理センタの加盟店であって、複数の店舗を統括的に管理する必要のある店舗である。各遊技店１−１乃至１−ｎは、生体情報管理バス６および第３者遊技店管理バス７により接続されており、それらのバスおよびインターネット等に代表される公衆通信回線網８，９を介して、相互にそれぞれ生体情報、および第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００３０】
生体情報管理バス６は、主に各遊技店１の生体情報認識装置２１により管理される生体情報を流通させるための伝送路として機能する。また、第３者遊技店管理バス７は、主に各遊技店１の媒体貸出管理装置２７により管理される媒体貸出管理情報を流通させるための伝送路として機能する。
【００３１】
生体情報管理センタ２は、生体情報管理センタを管理運営する事業者により使用されるサーバであり、生体情報管理データベース（以降、DBとも称するものとする）３で管理されている登録遊技者DB２７２（図１３）を各遊技店１により生成される未登録遊技者DB２７１（図１３）に基づいて更新すると供に、更新した最新の登録遊技者DB２７２を各遊技店１の生体情報認識装置２１に対して配信する。
【００３２】
第３者遊技店管理センタ４は、第３者遊技店管理センタを管理運営する事業者により使用されるサーバであり、第３者遊技店管理データベース（DB）５で管理されている媒体貸出管理情報からなるDBを各遊技店１より供給されてくる情報に基づいて更新すると供に、更新した最新の媒体貸出管理情報を各遊技店１の媒体貸出管理装置２７に対して配信する。
【００３３】
生体情報認識装置２１は、カメラ３８−１乃至３８−ｍ、入口カメラ４３−１乃至４３−ｐ、および店内カメラ４４−１乃至４４−ｑにより撮像された画像より画像処理ユニット３９−１乃至３９−（ｍ＋ｐ＋ｑ）により抽出されて、生体情報バス３１を介して供給されてくる顔画像の情報に基づいて、生体情報データベース２２に予め登録されている顔画像と照合し、一致する場合、登録遊技者の来店を携帯端末２０に通知したり、CRT（Cathode Ray Tube）またはLCD（Liquid Crystal Display）などからなる表示部２３に表示する。また、生体情報データベース２２に予め登録されている顔画像と照合し、一致しない場合、生体情報認識装置２１は、生体情報管理データベース３にアクセスし、未登録者として未登録遊技者DB２７１に登録する。
【００３４】
生体情報認識装置２１は、画像処理ユニット３９−１乃至３９−ｍより抽出されて、生体情報バス３１を介して供給されてくる顔画像、および、熱検知ユニット４０−１乃至４０−ｍより抽出されて、生体情報バス３１を介して供給されてくる熱検知情報に基づいて、分煙機４２−１乃至４２−ｍの動作を制御する。
【００３５】
遊技店管理装置２４は、いわゆるホールコンピュータと呼ばれるものであり、遊技店管理情報バス３０を介して遊技台３６−１乃至３６−ｍの動作を監視している。遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をCRTやLCDなどからなる表示部２５に表示する。遊技店管理装置２４は、精算販売機３３、貸出機３４、計数機３５、遊技台３６−１乃至３６−ｍ、および遊技台周辺端末３７−１乃至３７−ｍのそれぞれより供給されてくる情報を、それぞれを識別する識別情報（例えば、遊技台番号）とを対応付けて遊技台管理データベース２６により管理する。
【００３６】
媒体貸出管理装置２７は、精算販売機３３、貸出機３４、および計数機３５からの情報に基づいて、貸し出される遊技媒体の媒体貸出管理情報を媒体貸出管理データベース２９を用いて管理すると供に、媒体貸出管理データベース２９に登録されている媒体貸出管理情報を更新する際、その更新情報を、第３者遊技店管理バス７および公衆通信回線網９を介して第３者遊技店管理センタ４に送る。さらに、媒体貸出管理装置２７は、第３者遊技店管理バス７および公衆通信回線網９を介して第３者遊技店管理センタ４により供給されてくる媒体貸出管理情報を取得し、媒体貸出管理データベース２９に蓄積させる。
【００３７】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理情報データベース２９に登録する。
【００３８】
精算販売機３３は、貸球を借りるための度数をつけてプリペイドカードを販売する。このとき、精算販売機３３は、販売したプリペイドカードの度数と払いうけた金額とを媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００３９】
計数機３５は、遊技者が遊技台３６により遊技することにより獲得した遊技媒体の数を、計数し、計数結果を磁気カードやレシートなどとして出力する。
【００４０】
遊技台３６−１乃至３６−ｍは、遊技者により所定の操作がなされることにより、遊技を実行し、いわゆる小当たりや大当たりに応じて、遊技球、または、メダルを払い出す。
【００４１】
遊技台周辺端末３７−１乃至３７−ｍは、各遊技台３６−１乃至３６−ｍに対応して設けられている、いわゆる台間機であり、台間球貸機（原理的には、貸出機３４と同様のもの）などが設けられている。また、遊技台周辺端末３７は、遊技台３６を遊技する遊技者の顔画像などの生体情報を取得し、遊技台識別情報（遊技台番号）と共に生体情報認識装置２１に送信する。尚、図１においては、生体情報を取得する機能として、遊技者の顔画像を取得するカメラ３８−１乃至３８−ｍが設けられている例が示されている。
【００４２】
熱検知ユニット４０−１乃至４０−ｍは、それぞれ遊技台３６−１乃至３６−ｍに対応して設けられており、熱検知カメラ４２−１乃至４２−ｍにより撮像される遊技台３６で遊技する遊技者周辺の画像の温度分布に基づいて煙草への着火状態を示す情報、すなわち、喫煙状態を示す情報を生成して生体情報認識装置２１に供給する。
【００４３】
分煙機４２−１乃至４２−ｍは、指向性の高い層状の風を遊技台３６の左右の上部より下部方向に発生する送風機状のものであり、遊技台３６で遊技する遊技者が喫煙を開始したとき、喫煙により発生した副流煙等を含む煙を喫煙している遊技者の周辺の空間にのみ閉じ込めるように拡散を抑制させることで、隣接する遊技台３６で遊技する遊技者の空間に対して煙が拡散しにくい状態を作り出すことにより、遊技台３６毎に各遊技者を分煙するものである。
【００４４】
カメラ３８−１乃至３８−ｍは、例えば、図２で示されるように、各遊技台３６−１乃至３６−４のそれぞれの上部に設けられた台表示ランプ６１−１乃至６１−４の下部に図３で示されるように、読取範囲δ内に遊技者が撮像できるように設け、顔画像を撮像するようにしてもよく、このようにすることにより、各カメラIDは、同時に遊技台IDとして使用することが可能となる。また、このカメラ３８−１乃至３８−ｍとほぼ同様の撮像範囲となるように、熱検知カメラ４１−１乃至４１−ｍが設けられている。すなわち、カメラ３８により撮像される画像の撮像範囲と、熱検知カメラ４１により撮像される熱検知画像の撮像範囲とは、ほぼ同一である。
【００４５】
また、分煙機４２−１乃至４２−ｍは、例えば、図２で示されるように、各遊技台３６−１乃至３６−４のそれぞれの左右の上部に設けられ、図４で示されるように、各遊技台３６で遊技する遊技者の空間ごとに左右の上部から下部に向かって発生する風Ｗにより煙草Ｃにより発生する煙を、遊技台３６毎の空間に閉じ込めて、他の遊技台３６で遊技する遊技者の空間へと拡散しないように構成されている。すなわち、より詳細には、遊技台３６−２で遊技する遊技者が喫煙を開始したと判定された場合、分煙機４２−２，４２−３が稼働して送風を開始することにより、遊技台３６−１，３６−３，３６−４で遊技している遊技者への喫煙により発生する煙の拡散を抑制する。
【００４６】
さらに、カメラ３８−１乃至３８−ｍは、例えば、図５で示されるように、遊技台周辺端末３７−１乃至３７−４に凸部７１−１乃至７１−４を設け、図６で示されるように読取範囲θ内に遊技者の顔画像が撮像できるように設けるようにしてもよい。また、このカメラ３８−１乃至３８−ｍとほぼ同様の撮像範囲となるように、熱検知カメラ４１−１乃至４１−ｍが設けられている。すなわち、この場合も、カメラ３８により撮像される画像の撮像範囲と、熱検知カメラ４１により撮像される熱検知画像の撮像範囲とは、ほぼ同一である。
【００４７】
さらに、カメラ３８−１乃至３８−ｍは、例えば、図７で示されるように、遊技台３６の中央部（遊技台３６の盤面上）に設けるようにして、撮像するようにしてもよい。すなわち、図８の設置部８１にカメラ３８が設置されることにより、図８で示されるように、読取範囲φ内に遊技者を撮像する。また、このカメラ３８−１乃至３８−ｍとほぼ同様の撮像範囲となるように、熱検知カメラ４１−１乃至４１−ｍが設けられている。すなわち、この場合も、カメラ３８により撮像される画像の撮像範囲と、熱検知カメラ４１により撮像される熱検知画像の撮像範囲とは、ほぼ同一である。
【００４８】
入口カメラ４３−１乃至４３−ｐおよび店内カメラ４４−１乃至４４−ｑは、遊技店１の店内における出入口および所定の場所に設置され、撮像した画像をそれぞれ画像処理ユニット３９−（ｍ＋１）乃至３９−（ｍ＋ｐ＋ｑ）に供給する。
【００４９】
入口カメラ４３−１乃至４３−ｐおよび店内カメラ４４−１乃至４４−ｑは、例えば、図９で示されるように設定される。図９は、遊技店１内の入口カメラ４３−１乃至４３−ｐおよび店内カメラ４４−１乃至４４−ｑの設置例を示している。
【００５０】
すなわち、図９においては、出入口１１２−１乃至１１２−３が設けられており、入口カメラ４３−１乃至４０−３は、それぞれの出入口１１２より入店してくる遊技者を撮像する。また、店内カメラ４４−１乃至４４−１０は、島設備１１１−１乃至１１１−５のそれぞれ両面をそれぞれ一列に渡って撮像できる位置に設定されている。島設備１１１は、両面に遊技台３６が設置されており、すなわち、図中の島設備１１１を上下方向に挟むように設置されている。カメラ３８、入口カメラ４３および店内カメラ４４は、いずれにおいてもパンチルトズーム機能を備えているため、図９で示されるように、店内カメラ４４−１乃至４４−１０が配置されることにより、遊技台３６で遊技する全遊技者が、店内カメラ４４−１乃至４４−１０のいずれかで撮像できる。
【００５１】
さらに、店内カメラ４４−ａは、貸出機３４の前に設けられており、店内カメラ４４−ｂは、精算販売機３３の前に設けられており、店内カメラ４４−ｃは、計数機３５の前に設けられており、それぞれ、貸出機３４、精算販売機３３、および計数機３５を利用する遊技者を撮像することができる。
【００５２】
すなわち、図９で示されるように、遊技店１においては、来店する遊技者、遊技台３６で遊技する遊技者、並びに、貸出機３４、精算販売機３３、および計数機３５を利用する遊技者といった、遊技店１において遊技者が取るであろうことが想定される行動のほぼ全てを監視できるように、カメラ３８、入口カメラ４３、および店内カメラ４４が設置されている。
【００５３】
次に、図１０を参照して、画像処理ユニット３９の構成例について説明する。
【００５４】
画像取得部２０１は、カメラ３８（または、入口カメラ４３もしくは店内カメラ４４）により撮像された画像を取得し、顔画像抽出部２０２に供給する。顔画像抽出部２０２は、画像取得部２０１より供給されてきた画像内に、顔を構成する部位の配置などのパターンにより顔画像からなる矩形画像を抽出して送信部２０３に供給する。送信部２０３は、顔画像を生体情報認識装置２１に送信する。
【００５５】
次に、図１１を参照して、熱検知ユニット４０の構成例について説明する。
【００５６】
熱検知カメラ４１は、熱検知画像と呼ばれる画素単位で検出される温度分布からなる画像を生成し、熱検知ユニット４０に供給する。画像取得部２１１は、熱検知カメラ４１より供給された熱検知画像を取得し、熱検知部２１２に供給する。熱検知部２１２は、ライタにより発生する炎の外炎部が1000度前後に達することや、煙草の赤熱部位が700度前後に達することから、熱検知画像より、画像中のライタまたは煙草の火の付いた部位の温度を示す画素（熱検知画像中の700乃至1000度前後であることを示す画素）を検知し、熱検知位置解析部２１３に供給する。熱検知位置解析部２１３は、画像中の画素位置の情報を解析して、画像中のライタまたは煙草の火の付いた部位に相当する熱源の位置を特定し、熱検知座標として求め、熱検知座標送信部２１４に供給する。熱検知座標送信部２１４は、煙草の火の付いた部位に相当する熱源の位置座標を熱検知座標として生体情報認識装置２１に送信する。
【００５７】
次に、図１２を参照して、生体情報認識装置２１および分煙機４２の構成例について説明する。
【００５８】
顔画像取得部２２１は、画像処理ユニット３９より供給される顔画像を取得し、照合部２２２および特徴量抽出部２２７に供給する。照合部２２２は、顔画像取得部２２１により取得された顔画像と、生体情報DB２２に予め登録されている登録遊技者の顔画像とを照合し、類似度の高い候補となる顔画像があれば、第３候補までの顔画像を照合結果として表示部２３に表示させる。また、照合部２２２は、類似度の高い候補となる顔画像が存在しない場合、供給されてきた顔画像を未登録遊技者データベース登録部２２３に供給する。
【００５９】
より詳細には、照合部２２２の特徴量抽出部２４１は、顔画像を識別するための特徴量を抽出して、顔画像と共に類似度計算部２４２に供給する。類似度計算部２４２は、生体情報DB２２に登録されている登録遊技者の顔画像の特徴量を抽出すると供に、特徴量抽出部２４１より供給されてくる特徴量とを用いて、生体情報DB２２に登録されている全ての登録遊技者の顔画像との類似度を求め、顔画像取得部２２１より供給されてきた顔画像、および、類似度が上位３位までの顔画像を類似度判定部２４３に供給する。より具体的には、類似度計算部２４２は、例えば、目と目の間隔、あごから額までの長さと、あごから鼻までの長さの比率などの各種の顔の特徴量に基づいて、それぞれの差分和、平均比率、または比率和などを類似度として求める。
【００６０】
類似度判定部２４３は、類似度計算部２４２より供給されてくる類似度が上位３位となる顔画像のそれぞれの類似度のうち、１位となる顔画像との類似度と、所定の閾値とを比較し、比較結果に基づいて、１位となる登録顔画像が、顔画像取得部２２１より供給されてきた顔画像に対して類似している場合（類似度が高い程類似していることを示す類似度の場合、所定の閾値よりも高いとき、また、類似度が低い程類似していることを示す類似度の場合、所定の閾値よりも低いとき）、上位３位となる顔画像と類似度の情報を表示部２３に供給して、表示させると供に、通信部２２４に供給する。また、類似度判定部２４３は、１位となる顔画像との類似度と、所定の閾値とを比較し、比較結果に基づいて、１位となる登録顔画像が、顔画像取得部２２１より供給されてきた顔画像に対して類似していない場合、顔画像取得部２２１より供給されてきた顔画像を未登録遊技者データベース登録部２２３に供給する。
【００６１】
未登録遊技者データベース登録部２２３は、照合部２２２より未登録であるとみなされて供給されてきた、顔画像を生体情報管理データベース３の未登録遊技者DB２７１に登録する。
【００６２】
操作部２２５は、ボタン、マウス、または、キーボードなどから構成され、上述した類似度が上位３位となる、表示部２３に表示された顔画像のいずれかが選択されるとき操作され、操作結果を通信部２２４に供給する。通信部２２４は、モデムなどから構成され、操作部２２５からの操作信号に基づいて、選択された顔画像を携帯端末２０に配信する。
【００６３】
尚、ここでは、類似度は、例えば、比率和で示されるような登録遊技者として登録されている顔画像に近いほど高い値を示すものであるとし、類似度が所定の閾値よりも高い値であるとき、その類似度に対応する登録遊技者の顔画像であるものとして判定する例について説明する。しかしながら、例えば、類似度が撮像された顔画像と登録遊技者として登録されている顔画像とのそれぞれの特徴量における差分和として表現されている場合、類似度判定部２４３は、類似度が閾値よりも小さければ、撮像された顔画像が登録遊技者の顔画像であるとみなすことになり、または、平均比率などの場合、０乃至１の範囲で所定の値以上であって、１に近い値であれば、同一の人物であるとみなすことができる。
【００６４】
データベース管理部２２６は、生体情報管理センタ２より新たな登録遊技者データベース２７２（図１３）が配信されてくると、新たな登録遊技者データベース２７２に基づいて、生体情報DB２２を更新する。
【００６５】
特徴量抽出部２２７は、熱検知情報取得部２３０より煙草に着火したことを示す熱が検知されたことが通知されると、喫煙が開始したことを示す特徴量を顔画像取得部２２１より供給されてくる顔画像より抽出する。より詳細には、特徴量抽出部２２７は、顔画像のうち喫煙状態を認識することができる、例えば、口元近傍の画像などの喫煙開始を示す特徴量を抽出し、抽出した顔画像内の位置情報と共に喫煙範囲算出部２２８に供給する。尚、特徴量抽出部２２７が顔画像より抽出する特徴量は、実質的に特徴量抽出部２４１が顔画像より抽出する特徴量の一部とすることができるので、特徴量抽出部２２７を特徴量抽出部２４１で代用するようにしてもよい。
【００６６】
喫煙範囲算出部２２８は、特徴量抽出部２２７より抽出されてきた特徴量の情報と、その位置の情報より顔画像中の喫煙範囲を算出して、算出結果を喫煙判定部２２９に供給する。
【００６７】
熱検知情報取得部２３０は、熱検知ユニット４０より供給されてくる熱検知カメラ４１により撮像された熱検知画像上の熱源が検知された位置座標の情報を取得し、取得した熱検知画像上の熱源が検知された位置座標を喫煙判定部２２９に供給すると共に、熱源を示す位置座標が供給されてきたことを特徴量抽出部２２７に通知する。
【００６８】
喫煙判定部２２９は、喫煙範囲算出部２２８より供給されてくる顔画像中で喫煙の開始を示す特徴量が抽出された位置である喫煙範囲と、熱検知情報取得部２３０より供給されてくる、顔画像中の熱検知座標とを比較して、一致するとき喫煙が開始されているものとみなし、制御フラグメモリ２３１にアクセスし、顔画像を撮像したカメラ３８と対応付けられている遊技台３６を識別する情報に基づいて、対応する遊技台３６に設けられている分煙機４２を稼動させることを示すフラグをＯＮにする。
【００６９】
分煙機４２の駆動制御部２５１は、所定の時間間隔で生体情報認識装置２１の制御フラグメモリ２３１にアクセスし、自らを示す分煙機４２のフラグがＯＮに設定されている場合、分煙機４２の送風機能を駆動させる駆動部２５２を駆動させ、駆動時間管理部２５３に対して駆動を開始したことを通知する。このとき、駆動制御部２５１は、制御フラグメモリ２３１に記憶されている自らのフラグをＯＦＦに設定する。駆動時間制御部２５３は、駆動制御部２５１から駆動部２５２の動作が通知されると内蔵するタイマ２５３ａにより所定の時間のカウントを開始させる。そして、駆動時間制御部２５３は、タイマ２５３ａにより所定の時間がカウントされると、その旨を駆動制御部２５１に通知する。駆動制御部２５１は、駆動時間制御部２５３より駆動を開始してから所定の時間が経過したことが通知されると、駆動部２５２を制御して、動作を停止させる。
【００７０】
次に、図１３を参照して、生体情報管理センタ２の構成例について説明する。
【００７１】
生体情報管理センタ２は、DB配信部２６１、DB更新部２６２、およびDB更新判定部２６３から構成されており、生体情報管理DB３に格納されている登録遊技者DB２７２を、未登録遊技者DB２７１に基づいて、更新する。より具体的には、DB更新判定部２６３は、時刻情報を発生するRTC（Real Time Clock）２６３ａを内蔵しており、その内蔵されているRTC２６３ａに基づいて、所定時間が経過すると、生体情報管理DB３にアクセスし、未登録遊技者DB２７１に新たな未登録遊技者が登録されたか否かを判定する。
【００７２】
DB更新判定部２６３は、未登録遊技者DB２７１に新たに未登録者が登録されていた場合、その旨をDB更新部２６２に通知する。DB更新部２６２は、未登録遊技者DB２７１にアクセスし、登録されている未登録遊技者のうち、所定回数以上登録されている未登録遊技者が存在するか否かを判定し、所定回数以上未登録遊技者として登録されている未登録遊技者が存在する場合、登録遊技者DB２７２を読み出して、所定回数以上登録されている未登録遊技者を登録遊技者DB２７２に登録して、更新する。さらに、DB更新部２６２は、登録遊技者DB２７２を更新すると、更新したことをDB配信部２６１に通知する。
【００７３】
DB配信部２６１は、DB更新部２６２より登録遊技者DB２７２が更新されたことを通知されると、生体情報管理DB３にアクセスし、登録遊技者DB２７２を読み出して、各遊技店１の生体情報認識装置２１に配信する。
【００７４】
次に、図１４を参照して、携帯端末２０の構成例について説明する。
【００７５】
通信部２８１は、モデムなどで構成されており、遊技店１内の無線通信網を介して生体情報認識装置２１との間でデータを授受する。また、通信部２８１は、生体情報認識装置２１より配信されてくる、画像処理ユニット３９より供給された顔画像と類似する顔画像の遊技者が来店したことを示す情報を取得し、画像処理部２８２に供給する。
【００７６】
画像処理部２８２は、通信部２８１より供給されてくる画像処理ユニット３９より供給された顔画像と類似する顔画像の遊技者が来店したことを示す情報に基づいて、LCDなどにより構成される表示部２８３に表示する画像を生成すると供に、表示部２８３に表示させる。
【００７７】
次に、図１５のフローチャートを参照して、登録遊技者監視処理について説明する。
【００７８】
ステップＳ１において、カメラ３８は、遊技台３６における遊技者を撮像し、撮像した画像を画像取得部２０１に供給する。画像取得部２０１は、カメラ３８より供給されてきた画像を取得して、顔画像抽出部２０２に供給する。
【００７９】
ステップＳ２において、顔画像抽出部２０２は、供給された画像より遊技者の顔画像を抽出し、送信部２０３に供給する。より具体的には、顔画像抽出部２０２は、例えば、撮像された画像の色などから肌が露出した部分であって、目や鼻といった特徴的な部位の配置などから顔画像を抽出する。
【００８０】
ステップＳ３において、顔画像抽出部２０２は、供給された画像より遊技者の顔画像が抽出可能であるか否かを判定し、抽出不能である、すなわち、顔画像などが画像に含まれておらず、顔画像の抽出が不能であると判定された場合、処理は、ステップＳ１に戻る。すなわち、顔画像が抽出できると判定されるまで、ステップＳ１乃至Ｓ３の処理が繰り返される。
【００８１】
ステップＳ３において、例えば、顔画像の抽出が可能であると判定された場合、顔画像抽出部２０２は、抽出された遊技者の顔画像を、画像上の顔画像の位置の情報と共に、送信部２０３に供給する。
【００８２】
ステップＳ４において、送信部２０３は、顔画像抽出部２０２より供給されてきた顔画像（画像上の顔画像位置の情報を含む）を生体情報認識装置２１に送信する。この際、送信部２０３は、カメラ３８、入口カメラ４３、または店内カメラ４４のそれぞれを識別するカメラIDや、送信時刻の情報などの情報を顔画像に付加して生体情報認識装置２１に送信する。
【００８３】
ここで、ステップＳ１１において、熱検知ユニット４０の画像取得部２１１は、熱検知カメラ４１により撮像された熱検知画像を取得し、熱検知部２１２に供給する。
【００８４】
ステップＳ１２において、熱検知部２１２は、供給されてきた熱検知画像に基づいて、喫煙の開始を示すライタの炎や煙草の赤熱部分の温度を示す熱源となる高温部分の有無を検知する。より具体的には、煙草の赤熱部分は700度前後といわれており、また、ガスバーナ式のライタの外炎部は、1000度程度に達すると言われているので、熱検知部２１２は、このような700度から1000度前後の高温部分の有無を、熱源の有無として検知する。
【００８５】
ステップＳ１３において、熱検知部２１２は、喫煙の開始を示す熱源の有無を判定し、熱源が無いと判定された場合、処理は、ステップＳ１１に戻る。すなわち、喫煙の開始が検知されるまで、ステップＳ１１乃至Ｓ１３の処理が繰り返される。
【００８６】
ステップＳ１３において、喫煙の開始を示す熱源が熱検知画像に含まれていると判定された場合、ステップＳ１４において、熱検知部２１２は、熱源が検知された熱検知画像を熱検知位置解析部２１３に供給する。熱検知位置解析部２１３は、供給されてきた熱検知画像に基づいて、熱源を検知した位置である熱検知座標を解析し、解析結果として、熱検知座標を熱検知座標送信部２１４に供給する。
【００８７】
ステップＳ１５において、熱検知座標送信部２１４は、煙草の火の付いた赤熱部分、または、ライタなどの炎を検知した熱検知座標の情報を生体情報認識装置２１に供給する。
【００８８】
ステップＳ２１において、生体情報認識装置２１の顔画像取得部２２１は、顔画像が取得できたか否か、すなわち、画像処理ユニット３９より顔画像が供給されてきたか否かを判定し、供給されてくるまで、同様の処理を繰り返す。ステップＳ２１において、例えば、ステップＳ４の処理により、顔画像が送信されてきた場合、ステップＳ２２において、顔画像取得部２２１は、供給された顔画像のうち、いずれか未処理の１つを抽出し、照合部２２２の特徴量抽出部２４１および特徴量抽出部２２７に供給する。
【００８９】
ステップＳ２３において、熱検知情報取得部２３０は、熱検知ユニット４０より熱検知座標の情報が熱検知情報として送信されてきたか否かを判定する。ステップＳ２３において、例えば、ステップＳ１５の処理により、熱検知座標の情報が熱検知情報として送信されてきた場合、熱検知情報取得部２３０は、熱検知座標が熱検知情報として送信されてきたことを特徴量抽出部２２７に通知すると共に、処理は、ステップＳ２４に進む。
【００９０】
ステップＳ２４において、特徴量抽出部２２７は、熱検知座標の情報が供給されてきたことを受けて、供給されてきた顔画像より喫煙状態を示す特徴量、すなわち、顔画像のうち喫煙状態を認識することができる、例えば、口元近傍の画像などの喫煙開始を示す顔画像近傍の特徴量を抽出して、顔画像と共に喫煙範囲算出部２２８に供給する。
【００９１】
ステップＳ２５において、喫煙範囲算出部２２８は、特徴量抽出部２２７により検出された喫煙に関する特徴量、および顔画像における喫煙に関する特徴量の検出位置に基づいて、カメラ３８により撮像される画像上の喫煙範囲を算出し、算出した喫煙範囲の情報を喫煙判定部２２９に供給する。
【００９２】
ステップＳ２６において、熱検知情報取得部２３０は、熱検知ユニット４０より供給されてきた熱検知画像上の熱検知座標を喫煙判定部２２９に供給する。
【００９３】
ステップＳ２７において、喫煙判定部２２９は、熱検知座標と喫煙範囲とが一致するか否かを判定する。ステップＳ２７において、例えば、熱検知座標と喫煙範囲とが一致すると判定された場合（熱検知座標は、喫煙範囲に対して小さな範囲を示すので、熱検知座標が喫煙範囲内に含まれる場合）、ステップＳ２８において、喫煙判定部２２９は、制御フラグメモリ２３１にアクセスし、熱検知座標と喫煙範囲とが一致すると判定された顔画像を撮像したカメラIDに対応する遊技台３６の左右に設けられた分煙機４２の制御フラグをＯＮに設定する。
【００９４】
ステップＳ４１において、駆動制御部２５１は、生体情報認識装置２１の制御フラグメモリ２３１にアクセスし、自らの制御フラグがＯＮに設定されているか否かを判定する。ステップＳ４１において、例えば、ステップＳ２８の処理により、制御フラグがＯＮに設定されていた場合、ステップＳ４５において、駆動制御部２５１は、駆動部２５２の状態を確認し、駆動中であるか否かを判定する。
【００９５】
ステップＳ４５において、例えば、駆動中ではないと判定された場合、すなわち、分煙機４２が稼動していない状態であった場合、ステップＳ４６において、駆動制御部２５１は、駆動部２５２を駆動させて、分煙機４２を稼動状態にする。
【００９６】
ステップＳ４７において、駆動制御部２５１は、駆動時間管理部２５３に対して駆動部２５２が駆動されたことを通知する。駆動時間管理部２５３は、この通知に応じて内蔵するタイマ２５３ａを所定時間にセットする。所定時間は、今の場合、通常の煙草の１本分の喫煙時間に相当する、例えば、５分であるものとする。
【００９７】
ステップＳ４８において、駆動制御部２５１は、制御フラグメモリ２３１にアクセスし、自らの分煙機４２の制御フラグをＯＦＦに設定し、処理は、ステップＳ４１に戻る。
【００９８】
尚、ステップＳ４５において、駆動中である場合、すなわち、既に駆動部２５２が駆動中に制御されてから、タイマ２５３ａが所定時間（ここでは５分）経過していない場合、ステップＳ４６の処理はスキップされ、改めてタイマ２５３ａが所定時間に設定し直されることになる。
【００９９】
一方、ステップＳ４１において、制御フラグがＯＮに設定されていないと判定された場合、ステップＳ４２において、駆動制御部２５１は、駆動部２５２の状態を確認し、駆動中であるか否かを判定する。例えば、駆動中ではないと判定された場合、処理は、ステップＳ４１に戻る。すなわち、制御フラグがＯＦＦに設定されていて、かつ、駆動中ではない場合、ステップＳ４１，Ｓ４２の処理が繰り返される。
【０１００】
ステップＳ４２において、例えば、駆動中である、すなわち、一度ステップＳ４５乃至Ｓ４８の処理により駆動中であった場合、ステップＳ４３において、タイマ２５３ａの残り時間が０であるか否か、すなわち、タイマ２５３ａにより所定時間が経過したか否かが判定される。
【０１０１】
ステップＳ４３において、所定時間が経過していないと判定された場合、処理は、ステップＳ４１に戻る。すなわち、制御フラグがＯＦＦに設定され、駆動部２５２が駆動中であり、さらに、タイマ２５３ａにより所定時間が経過していないと判定された場合、処理は、ステップＳ４１に戻り、所定時間が経過するまで、ステップＳ４１乃至Ｓ４３の処理が繰り返される。
【０１０２】
ステップＳ４３において、タイマ２５３ａの残り時間が０となった、すなわち、駆動部２５２が駆動状態に制御されてから所定時間が経過したと判定された場合、ステップＳ４４において、駆動制御部２５１は、駆動部２５２の駆動を停止させ、処理は、ステップＳ４１に戻る。
【０１０３】
ステップＳ２３において、熱源が検知されなかったと判定された場合、または、ステップＳ２７において、熱検知座標と喫煙範囲とが一致しないと判定された場合、いずれにおいても、処理は、ステップＳ２９に進む。すなわち、いずれにおいても、制御フラグはＯＦＦのままの状態が維持される。
【０１０４】
以上の処理をまとめると、ステップＳ３において、図１６で示されるように、画像処理ユニット３９により顔画像Ｐ１が抽出されて、ステップＳ４において、顔画像が生体情報認識装置２１により顔画像Ｐ１１として取得される。また、ステップＳ１１において、熱検知ユニット４０により熱検知画像Ｐ４１が撮像されて、ステップＳ１４において、熱検知画像Ｐ４１より熱検知座標Ｐ４２が求められ、生体情報認識装置２１により熱検知座標Ｐ１３として取得される。さらに、ステップＳ２４において、顔画像Ｐ１１より図中の煙草の画像やライタの炎などを含む口元近傍の画像からなる特徴量が抽出されて、ステップＳ２５において、特徴量に基づいて、点線で囲まれる喫煙範囲Ｐ１２が算出される。そして、ステップＳ２７において、喫煙範囲Ｐ１２と熱検知座標Ｐ１３とが一致するとき（熱検知座標Ｐ１３が喫煙範囲Ｐ１２に含まれるとき）、顔画像を撮像したカメラIDに対応する遊技台３６の分煙機４２の制御フラグがＯＮに設定され、図１７で示されるように、分煙機４２の駆動部２５２が駆動されることにより、分煙機４２より送風が開始されて、対応する遊技台３６で遊技する遊技者の存在する空間以外の範囲への喫煙による煙の拡散を抑制することが可能となる。尚、図１７においては、遊技台３６−１乃至３６−４のうち、遊技台３６−２で遊技する遊技者の煙草Ｚの喫煙開始が認識されるタイミングで遊技台３６−２を挟むように設置されている分煙機４２−２，４２−３が駆動されることにより、遊技台３６−１，３６−３，３６−４で遊技する遊技者の存在する空間に対して、煙草Ｚにより発生する煙が拡散しないようになされる。
【０１０５】
結果として、煙草に着火されるライタの温度や、着火直後の赤熱部分を熱源として検知することで、分煙機４２を駆動させることができるので、喫煙により煙が発生すると同時、または、その直前に分煙機４２を動作させることができるので、分煙機４２の駆動が遅れて周囲に煙を拡散させる状態を抑制し、遊技店において非喫煙者に対して喫煙により発生する副流煙等の煙の吸引を効率良く低減し、喫煙者と非喫煙者とを効果的に分煙することが可能となる。
【０１０６】
また、着座した遊技者の顔画像からのみ喫煙開始を示す特徴量が抽出されることになるので、例えば、遊技台３６に着座せずに遊技店１内を歩きながら喫煙しているような喫煙者が存在するような場合、分煙が必要であると判定されないようになるので、遊技者が、着座していることが画像で確認できる状態であって、かつ、その遊技者が喫煙している状態のときにのみ、分煙機４２を稼働させることが可能となるので、効果的に分煙機４２の稼働に必要とされるエネルギーを節約することが可能となる。
【０１０７】
さらに、分煙機４２が駆動された後は、所定の時間が経過すると停止するように制御されるので、分煙機４２の停止し忘れを抑制することが可能になると共に、喫煙中にのみ稼動させるだけで済むため、駆動に必要とされるエネルギーを節約することが可能となる。
【０１０８】
ここで、図１５のフローチャートの説明に戻る。
【０１０９】
ステップＳ２９において、照合部２２２の特徴量抽出部２４１は、供給されてきた顔画像より特徴量を抽出して、顔画像と供に類似度計算部２４２に供給する。
【０１１０】
ステップＳ３０において、類似度計算部２４２は、特徴量抽出部２４１より供給された顔画像についての、目と目の間隔、あごから額までの長さと、あごから鼻のまでの長さの比率などの各種の顔の特徴量と、生体情報DB２２に登録されている登録遊技者DB２７２に登録されている顔画像における同様の特徴量とを用いて、それぞれの差分和、平均比率、または比率和などを類似度として計算し、計算結果である登録遊技者DB２７２に登録されている顔画像との類似度の順位を求め、登録遊技者DB２７２に登録されている顔画像のうちの上位３位までの顔画像と類似度の情報を、特徴量抽出部２４１より供給されてきた顔画像と供に類似度判定部２４３に供給する。
【０１１１】
ステップＳ３１において、類似度判定部２４３は、類似度計算部２４２より供給されてくる上位３位までの顔画像と類似度の情報に基づいて、最上位の類似度が所定の閾値よりも大きいか否かを判定する。すなわち、類似度判定部２４３は、最も類似している登録遊技者（生体情報DB２２に登録されている顔画像のうち、顔画像取得部２２１により取得された顔画像と最も類似している登録遊技者：ここでは、類似度の最も高い登録遊技者）の類似度を所定の閾値と比較する。
【０１１２】
尚、上述のように、類似度の定義により、撮像された顔画像と最も類似している登録遊技者の顔画像との類似度は、その値そのものが最も高いとは限らないため、類似度と閾値との大小関係はこの例の場合とは異なることがある。
【０１１３】
ステップＳ３１において、最上位の類似度が所定の閾値よりも大きいと判定された場合、ステップＳ３２において、類似度判定部２４３は、類似度計算部２４２より供給されてきた上位３位の顔画像が登録遊技者の顔画像の候補であることを示す報知画面３０１を表示部２３を制御して表示させる。
【０１１４】
このとき、例えば、図１８で示されるような報知画面３０１が、表示部２３に表示される。
【０１１５】
図１８の報知画面３０１においては、カメラ画像表示欄３１１が、左中段に設けられており、画像処理ユニット３９より供給されてきた顔画像が表示される。また、その右側には、類似度の高い順に第１候補乃至第３候補までの類似度の上位３位の登録遊技者の顔画像表示欄３１２−１乃至３１２−３が設けられている。さらに、各登録遊技者の顔画像表示欄３１２−１乃至３１２−３の下には、類似度レベル表示欄３１３−１乃至３１３−３が設けられており、類似度のレベルが表示されている。図１８において、黒で示される領域の横方向の長さが類似度の大きさを示している。
【０１１６】
また、類似度レベル表示欄３１３−１乃至３１３−３の下には、対応する位置に、ID表示欄３１４−１乃至３１４−３が設けられており、各顔画像の生体情報DB２２における顔画像を識別するIDが表示されており、図１８において、左から「０００５１」、「０００１８」および「０００２２」と表示されている。
【０１１７】
さらに、ID表示欄３１４−１乃至３１４−３の下には、それぞれ対応する位置に、それぞれの候補を選択されるときに操作部２２５により操作される確定ボタン３１８−１乃至３１８−３が設けられている。
【０１１８】
また、カメラ画像表示欄３１１の下には、その顔画像を撮像したカメラを識別するカメラID表示欄３１５が設けられており、図１８においては、カメラ３８、入口カメラ４３、および店内カメラ４４を識別するためのカメラIDとして「カメラ０２」が表示されている。さらに、カメラID表示欄３１５の下には、時刻表示欄３１６が設けられており、入口カメラ４３により撮像された時刻が表示されており、図１８においては、「１８：２３：３２」と表示されており、カメラ画像表示欄３１１の顔画像が１８時２３分３２秒に撮像されていることが示されている。
【０１１９】
さらに、時刻表示欄３１６の下には、別人ボタン３１７が設けられており、カメラ画像の顔画像が、第１候補乃至第３候補となる登録遊技者の顔画像表示欄３１２−１乃至３１２−３のいずれにも似ていないとみなされたとき、操作部２２５により操作される。
【０１２０】
ステップＳ３３において、通信部２２４は、操作部２２５が操作されて、候補となる顔画像の何れかが選択されたか否か、すなわち、例えば、図１８で示される報知画面３０１が表示部２３に表示されていた場合、確定ボタン３１８−１乃至３１８−３のいずれかが操作部２２５により操作されたか否かを判定する。
【０１２１】
ステップＳ３３において、例えば、確定ボタン３１８−１が操作された場合、第１候補となる顔画像が選択されたとみなされ、ステップＳ３４において、通信部２２４は、選択された第１候補となる顔画像および入口カメラ４３により撮像されたカメラ画像を携帯端末２０に送信し、該当する登録遊技者が来店したことを通知する。
【０１２２】
ステップＳ５１において、通信部２８１は、登録遊技者の来店が通知されてきたか否かを判定し、通知されてくるまで、その処理を繰り返す。例えば、ステップＳ５１において、ステップＳ３４の処理により、登録遊技者の来店が通知されてきた場合、ステップＳ５２において、通信部２８１は、生体情報認識装置２１より送信されてきた登録遊技者の来店の通知を受信すると供に、その通知に併せて送信されてくる登録遊技者の顔画像および入口カメラ４３により撮像されたカメラ画像を画像処理部２８２に供給する。画像処理部２８２は、選択された顔画像および入口カメラ４３により撮像されたカメラ画像の情報を、表示部２８３に表示可能な形式の情報に加工して、ステップＳ５３において、表示部２８３に表示させる。
【０１２３】
以上の処理により、遊技店１内の係員は、携帯端末２０を所持していると、登録遊技者の来店を認識することが可能となる。
【０１２４】
また、ステップＳ３５において、顔画像取得部２２１は、供給された顔画像の全てについて処理を行なったか否かを判定し、未処理の顔画像がある場合、処理は、ステップＳ２２に戻る。すなわち、全ての顔画像について処理が行なわれるまで、ステップＳ２２乃至Ｓ３５の処理が繰り返される。そして、全ての顔画像について処理が終了したと判定された場合、処理は、ステップＳ２１に戻る。
【０１２５】
一方、ステップＳ３３において、いずれの候補となる顔画像も選択されず、例えば、図１８の報知画面３０１における別人ボタン３１７が押下された場合、または、ステップＳ３１において、類似度計算部２４２より供給されてくる上位３位までの顔画像と類似度の情報に基づいて、最上位の類似度が所定の閾値よりも大きくない場合、すなわち、最も類似している登録遊技者の顔画像であっても類似度が、所定の閾値未満である場合、ステップＳ３６において、類似度判定部２４３は、画像処理ユニット３９より供給されてきた顔画像を未登録遊技者データベース登録部２２３に供給する。未登録遊技者データベース登録部２２３は、供給されてきた顔画像を生体管理情報バス６及び公衆通信回線網８を介して生体情報管理データベース３にアクセスし、未登録遊技者DB２７１に登録する。
【０１２６】
以上の処理により、生体情報認識装置２１により画像処理ユニット３９より供給されてきた顔画像が、生体情報DB２２に登録されていないとみなされると、生体情報管理センタ２により管理されている生体情報管理DB３内の未登録遊技者DB２７１に未登録遊技者の顔画像として登録される。
【０１２７】
次に、図１９のフローチャートを参照して、登録遊技者DB２７２の更新処理について説明する。
【０１２８】
ステップＳ６１において、生体情報管理センタ２のDB更新判定部２６３は、RTC２６３ａに問合せて、所定の時間が経過したか否かを判定し、所定の時間が経過するまで、その処理を繰り返す。例えば、ステップＳ６１において、所定の時間が経過したと判定された場合、ステップＳ６２において、DB更新判定部２６３は、生体情報管理DB３の未登録遊技者DB２７１にアクセスし、未登録遊技者が新たに登録されているか否かを判定し、新たな未登録遊技者が登録されていると判定されるまで、ステップＳ６１，Ｓ６２の処理を繰り返す。
【０１２９】
ステップＳ６２において、例えば、ステップＳ３６の処理により、新たに未登録遊技者が登録されていた場合、ステップＳ６３において、DB更新判定部２６３は、未登録遊技者DB２７１に新たに登録された未登録遊技者のいずれかが所定回数以上登録されているか否かを判定し、所定回数以上ではない場合、その処理は、ステップＳ６１に戻る。
【０１３０】
一方、ステップＳ６３において、例えば、所定回数以上未登録遊技者DB２７１に登録されている未登録遊技者が存在すると判定された場合、ステップＳ６４において、DB更新判定部２６３は、DB更新部２６２に対して、登録遊技者DB２７２の更新をするべき状態になったことを通知する。これに応じて、DB更新部２６２は、未登録遊技者DB２７１にアクセスし、所定回数以上登録されている未登録遊技者の顔画像の情報を全て読み出すと供に、登録遊技者DB２７２にアクセスし、読み出した所定回数以上登録されていた未登録遊技者の顔画像の情報に、顔画像を識別するIDを付して、登録遊技者DB２７２に追加登録して、更新する。さらに、DB更新部２６２は、登録遊技者DB２７２が更新されたことをDB配信部２６１に通知する。尚、登録遊技者DB２７２の更新が終了した時点で、所定回数以上登録されていた未登録遊技者は、未登録遊技者DB２７１より削除される。
【０１３１】
ステップＳ６５において、DB配信部２６１は、生体情報管理DB３の新たに更新された登録遊技者DB２７２にアクセスし、読み出すと供に、生体情報認識装置２１のデータベース管理部２２６に読み出した登録遊技者DB２７２を配信する。
【０１３２】
ステップＳ８１において、データベース管理部２２６は、生体情報管理センタ２より更新された新たな登録遊技者DB２７２が配信されてきたか否かを判定し、配信されてくるまで、その処理を繰り返す。
【０１３３】
ステップＳ８１において、例えば、ステップＳ６５の処理により、生体情報管理センタ２のDB配信部２６１より新たに更新された登録遊技者DB２７２が配信されてくると、ステップＳ８２において、データベース管理部２２６は、配信されてくる登録遊技者DB２７２を取得すると供に、登録遊技者DB２７２の情報に基づいて、生体情報DB２２を更新する。より詳細には、データベース管理部２２６は、生体情報DB２２に、新たに配信されてきた登録遊技者DB２７２の情報をコピーして上書きする。
【０１３４】
以上の処理により、遊技店１−１乃至１−ｎのいずれかで、未登録遊技者として所定回数以上未登録遊技者DB２７１に登録されると、登録遊技者DB２７２に追加登録されることにより、遊技店１−１乃至１−ｎのいずれの生体情報認識装置２１の生体情報DB２２にデータベース化して登録されることになるので、複数の遊技店１においても、入口カメラ４３により撮像されると、登録遊技者として来店が報知されることになる。また、登録遊技者DB２７２は、各遊技店１−１乃至１−ｎからの情報に基づいて更新されていくので、複数の店舗における顧客来店記録を生成することが可能となり、顧客来店記録を統合的に管理することが可能となる。
【０１３５】
以上によれば、各店舗における顧客来店情報のみならず複数の店舗における顧客来店記録の収集と、統合的な管理を実現することが可能となる。
【０１３６】
本発明によれば、煙草の赤熱部分を検知することで喫煙により煙が発生すると同時に、または、ライタの炎を検知することで、喫煙が開始される直前に分煙機を動作させることができるので、遊技店において非喫煙者に対して喫煙により発生する副流煙等の煙の吸引を効率良く低減し、喫煙者と非喫煙者とを効果的に分煙することが可能となる。
【０１３７】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１３８】
図２０は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１３９】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１４０】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１４１】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１４２】
また、本明細書において、システムとは、複数の装置により構成される装置全体を表すものである。
【図面の簡単な説明】
【０１４３】
【図１】本発明を適用した監視システムの一実施の形態の構成を示す図である。
【図２】図１のカメラの設置例を示す図である。
【図３】図１のカメラの設置例を示す図である。
【図４】図１の分煙機を説明する図である。
【図５】図１のカメラおよび分煙機の設置例を示す図である。
【図６】図１のカメラの設置例を示す図である。
【図７】図１のカメラおよび分煙機の設置例を示す図である。
【図８】図１のカメラおよび分煙機の設置例を示す図である。
【図９】図１の入口カメラおよび店内カメラの設置例を示す図である。
【図１０】図１の画像処理ユニットの構成例を説明する図である。
【図１１】図１の熱検知ユニットの構成例を説明する図である。
【図１２】図１の生体情報認識装置の構成例を説明する図である。
【図１３】図１の生体情報管理センタおよび生体情報管理DBの構成例を説明する図である。
【図１４】図１の携帯端末の構成例を説明する図である。
【図１５】分煙を実現する登録遊技者監視処理を説明するフローチャートである。
【図１６】分煙を実現する登録遊技者監視処理を説明する図である。
【図１７】分煙を実現する登録遊技者監視処理を説明する図である。
【図１８】報知画像の表示例を説明する図である。
【図１９】登録遊技者DB更新処理を説明するフローチャートである。
【図２０】汎用のパーソナルコンピュータを説明する図である。
【符号の説明】
【０１４４】
１，１−１乃至１−ｎ  遊技店
２  生体情報管理センタ
３  生体情報管理データベース
４  第３者遊技店管理センタ
５  第３者遊技店管理データベース
６  生体情報管理バス
７  第３者遊技店管理バス
８，９  公衆通信回線網
２１  生体情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−（ｍ＋ｐ＋ｑ）  画像処理ユニット
４０，４０−１乃至４０−ｍ  熱検知ユニット
４１，４１−１乃至４１−ｍ  熱検知カメラ
４２，４２−１乃至４２−ｍ  分煙機
４３，４３−１乃至４３−ｐ  入口カメラ
４４，４４−１乃至４４−ｑ  店内カメラ
【図１】
2008036352.tif 000003
【図２】
2008036352.tif 000004
【図３】
2008036352.tif 000005
【図４】
2008036352.tif 000006
【図５】
2008036352.tif 000007
【図６】
2008036352.tif 000008
【図７】
2008036352.tif 000009
【図８】
2008036352.tif 000010
【図９】
2008036352.tif 000011
【図１０】
2008036352.tif 000012
【図１１】
2008036352.tif 000013
【図１２】
2008036352.tif 000014
【図１３】
2008036352.tif 000015
【図１４】
2008036352.tif 000016
【図１５】
2008036352.tif 000017
【図１６】
2008036352.tif 000018
【図１７】
2008036352.tif 000019
【図１８】
2008036352.tif 000020
【図１９】
2008036352.tif 000021
【図２０】
2008036352.tif 000022